(57)【要約】【課題】  複数のペダルを同時に踏み込むことなく、正しいペダルを容易に踏み込むことが可能なＸ線撮影装置用フットスイッチを提供する。【解決手段】  Ｘ線撮影装置用フットスイッチ１５は、ベース部２９と、このベース部２９上に配設された複数のペダル２２、２３、２４と、ベース部２９上に配設され上面が各ペダル２２、２３、２４の上面より高い位置に配置された凸部２１と、を備える。凸部２１は、平面視において矩形状の形状を有する。そして、複数のペダル２２、２３、２４は、凸部２１における矩形状の三辺に隣接して配置され、互いに隣接するペダル２２とペダル２４、および、ペダル２３とペダル２４が、平面視において互いに直交するＸ方向およびＹ方向について重ならないように、凸部２１の周囲にスペースＥを介して配置されている。【選択図】        図２
2020022621.tif 000002
【特許請求の範囲】
【請求項１】
Ｘ線撮影装置を操作するためのＸ線撮影装置用フットスイッチであって、
ベース部と、
前記ベース部上に配設された複数のペダルと、
前記ベース部上に配設され、その上面が前記複数のペダルの上面より高い位置に配置された凸部と、
を備え、
前記複数のペダルは、互いに隣接するペダルが平面視においてＸ方向およびＹ方向について重ならないように、前記凸部の周囲にスペースを介して配置されることを特徴とするＸ線撮影装置用フットスイッチ。
【請求項２】
請求項１に記載のＸ線撮影装置用フットスイッチにおいて、
前記凸部は、平面視において矩形状の形状を有し、
前記複数のペダルは、前記凸部における矩形状の三辺に隣接して配置されるＸ線撮影装置用フットスイッチ。
【発明の詳細な説明】
【技術分野】
【０００１】
この発明は、Ｘ線撮影装置を操作するためのＸ線撮影装置用フットスイッチに関する。
【背景技術】
【０００２】
Ｘ線撮影およびＸ線透視を実行するためのＸ線撮影装置においては、術者がＸ線透視を開始したりＸ線透視を終了するとき、あるいは、Ｘ線撮影を実行するときに、フットスイッチにおけるペダルを踏み込むことによりこれらの操作を実行している。ペダルは、操作内容に応じて複数配設されることが多い。これにより、術者は、両手で手術器具等を操作することが可能となる。例えば、血管造影のためのＸ線透視およびＸ線撮影を実行するＸ線撮影装置においては、フットスイッチを利用することにより、カテーテル操作等行いながらＸ線透視およびＸ線撮影を実行することができる。
【０００３】
特許文献１においては、フットスイッチにおける複数のペダルの誤入力を防止するため、奥側部分が踏み込み操作される第１ペダルと、手前側部分が踏み込み操作される第２ペダルとを備えたフットスイッチ装置が開示されている。
【先行技術文献】
【特許文献】
【０００４】
【特許文献１】特許第６１３０２３３号公報
【発明の概要】
【発明が解決しようとする課題】
【０００５】
このようなＸ線撮影装置においては、フットスイッチにおけるペダルの操作は、術者がモニターに表示されたＸ線透視画像等を確認しながら、ペダルを注意して目視することなく実行されることが多い。このため、ペダルを踏み違えたり、複数のペダルを同時に踏み込んでしまうことがある。
【０００６】
このような踏み違えや同時踏み込みを防止するために、スイッチ間の距離を大きく設定したり、スイッチ間に仕切りを設けたりした場合には、異なるペダルへの踏み替えに大きな動作が必要となったり、仕切りに足を阻まれてペダルを踏み込めなかったりして、操作性に悪影響を与えるばかりではなく、フットスイッチ自体が大型化するという問題が生ずる。
【０００７】
また、特許文献１に記載されたように、このような踏み違えや同時踏み込みを防止するために、フットスイッチにおける複数のペダルの誤入力を防止するため、奥側部分が踏み込み操作される第１ペダルと、手前側部分が踏み込み操作される第２ペダルとを備えたフットスイッチを使用した場合には、フットスイッチを目視により確認しないと、ペダルの踏み込み操作を実行し得ないという問題が生ずる。
【０００８】
この発明は上記課題を解決するためになされたものであり、ペダルの目視を曖昧に行った場合においても、複数のペダルを同時に踏み込むことなく、正しいペダルを容易に踏み込むことが可能なＸ線撮影装置用フットスイッチを提供することを目的とする。
【課題を解決するための手段】
【０００９】
請求項１に記載の発明は、Ｘ線撮影装置を操作するためのＸ線撮影装置用フットスイッチであって、ベース部と、前記ベース部上に配設された複数のペダルと、前記ベース部上に配設され、その上面が前記複数のペダルの上面より高い位置に配置された凸部と、を備え、前記複数のペダルは、互いに隣接するペダルが平面視においてＸ方向およびＹ方向について重ならないように、前記凸部の周囲にスペースを介して配置されることを特徴とする。
【００１０】
請求項２に記載の発明は、請求項１に記載の発明において、前記凸部は、平面視において矩形状の形状を有し、前記複数のペダルは、前記凸部における矩形状の三辺に隣接して配置される。
【発明の効果】
【００１１】
請求項１に記載の発明によれば、互いに隣接するペダルを、平面視においてＸ方向およびＹ方向について重ならないように凸部の周囲にスペースを介して配置することにより、ペダルの目視を曖昧に行った場合においても、複数のペダルを同時に踏み込むことを防止し、正しいペダルを容易に踏み込むことが可能となる。また、ペダルの間には仕切りがないので、ペダルの踏み替えを行うときに大きい動作は必要ない。ペダルからペダルまで足をスライドさせて踏み替えを行うことができるので、仕切りがある場合と比較して、容易に踏み込むことが可能となる。また、仕切りではなく凸部を配設することにより、ペダルを同時に踏み込むことを防止しているため、ペダルとペダルの間のスペースを大きく設定する必要がない。踏み替えを行う際に、スペースが大きい場合と比較して、より容易に、かつ素早く、踏み替えを行うことができる。これにより、Ｘ線撮影装置の操作ミスを防止するとともに、操作をより容易に素早く行うことが可能となる。
【００１２】
請求項２に記載の発明によれば、平面視において矩形状の凸部の三辺に隣接して複数のペダルを配置することにより、正しいペダルをより正確に踏み込むことが可能となる。
【図面の簡単な説明】
【００１３】
【図１】この発明に係るＸ線撮影装置用フットスイッチ１５が使用されるＸ線撮影装置の斜視図である。
【図２】この発明に係るＸ線撮影装置用フットスイッチ１５の平面図である。
【図３】この発明に係るＸ線撮影装置用フットスイッチ１５を足部Ｆにより操作する状態を示す平面図である。
【図４】この発明に係るＸ線撮影装置用フットスイッチ１５を足部Ｆにより操作する状態を示す平面図である。
【図５】この発明に係るＸ線撮影装置用フットスイッチ１５を足部Ｆにより操作する状態を示す平面図である。
【図６】この発明に係るＸ線撮影装置用フットスイッチ１５を足部Ｆにより操作する状態を示す平面図である。
【発明を実施するための形態】
【００１４】
以下、この発明の実施の形態を図面に基づいて説明する。図１は、この発明に係るＸ線撮影装置用フットスイッチ１５が使用されるＸ線撮影装置の斜視図である。
【００１５】
このＸ線撮影装置は、その内部にＸ線管を備え、検診台１上の被検者２に対してＸ線を照射するＸ線照射部３と、被検者２を通過したＸ線を検出するＸ線検出器４とを備える。Ｘ線照射部３とＸ線検出器４とは、略Ｃ字状のアーム５により支持されている。このアーム５は、天井９に固定されたガイド部材７に案内されることにより一方向に移動するキャリッジ６に支持されている。また、複数のモニター１１とガード部材１２を備えた画像表示部８が天井９から懸垂されている。この画像表示部８は、懸垂機構３０を介して懸垂されており、天井９に配設されたレール２０により案内されて移動可能となっている。さらに、検診台１の支持部１３付近の床には、Ｘ線透視を開始したりＸ線透視を終了するとき、あるいは、Ｘ線撮影を実行するときに術者の足によって操作されるこの発明に係るＸ線撮影装置用フットスイッチ１５が載置されている。
【００１６】
次に、この発明に係るＸ線撮影装置用フットスイッチ１５の構成について説明する。図２は、この発明に係るＸ線撮影装置用フットスイッチ１５の平面図である。
【００１７】
Ｘ線撮影装置用フットスイッチ１５は、ベース部２９と、このベース部２９上に配設された複数のペダル２２、２３、２４と、ベース部２９上に配設され上面が各ペダル２２、２３、２４の上面より高い位置に配置された凸部２１と、を備える。凸部２１は、平面視において矩形状の形状を有する。そして、複数のペダル２２、２３、２４は、凸部２１における矩形状の三辺に隣接して配置され、互いに隣接するペダル２２とペダル２４、および、ペダル２３とペダル２４が、平面視において互いに直交するＸ方向およびＹ方向について重ならないように、凸部２１の周囲にスペースＥを介して配置されている。
【００１８】
凸部２１は、例えば、各ペダル２２、２３、２４に連結されたスイッチが収納されるスイッチボックスである。スイッチボックスにかえてＸ線撮影の実行に寄与する機能を持たせてもよい。なお、各ペダル２２、２３、２４の他にも、さらなる操作のためにペダルを設ける必要がある場合には、使用頻度の低いペダルを、この凸部２１の上部に配設してもよい。また、Ｘ線撮影装置に対して、Ｘ線撮影装置用フットスイッチ１５を、複数個連結するようにしてもよい。
【００１９】
複数のペダル２２、２３、２４のうち、ペダル２２は、例えば、検診台１を移動させるときに踏み込まれる。また、ペダル２３は、Ｘ線画像を得るためのＸ線撮影を実行するときに踏み込まれる。さらに、ペダル２４は、リアルタイムのＸ線透視像を得るためのＸ線透視を実行している間に踏み込まれる。
【００２０】
このＸ線撮影装置用フットスイッチ１５は、透明のビニール等から構成される滅菌カバー（図示せず）によりその全体が覆われた状態で、Ｘ線撮影装置が設置される検査室等に設置される。
【００２１】
図３から図６は、この発明に係るＸ線撮影装置用フットスイッチ１５を足部Ｆにより操作する状態を示す平面図である。
【００２２】
図３は、検診台１を移動させるためにペダル２２を足部Ｆにより踏み込む状態を示し、図４は、Ｘ線透視を実行するためにペダル２４を足部Ｆにより踏み込む状態を示している。このときには、ペダル２２とペダル２４とは、矩形状の凸部２１の互いに直交する二辺に隣接する状態で、平面視においてＸ方向およびＹ方向について重ならないように、スペースＥを介して配置されていることから、術者が画像表示部８における各モニター１１に表示されたＸ線透視画像等を確認しながら、ペダル２２、２３、２４を注意して目視することなく踏み込み動作を実行した場合においても、誤ったペダル２２、２３、２４が踏み込まれることを防止することが可能となる。
【００２３】
図５は、ペダル２２とペダル２４とを、足部Ｆにより同時に踏み込む状態を示している。このような踏み込み動作を行う場合においては、足部Ｆが凸部２１を避ける必要があることから、術者は足部Ｆを脚部から反時計回り方向にねじる必要があり、術者の姿勢が不自然な状態となる。このため、このようなペダル２２とペダル２４との同時踏み込みが誤って実行されることはない。
【００２４】
図６は、ペダル２３とペダル２４とを、足部Ｆにより同時に踏み込む状態を示している。このような踏み込み動作を行う場合においても、足部Ｆが凸部２１を避ける必要があることから、術者は足部Ｆを脚部から時計回り方向にねじる必要があり、術者の姿勢が不自然な状態となる。このため、このようなペダル２３とペダル２４との同時踏み込みが誤って実行されることはない。
【００２５】
以上のように、この発明に係るＸ線撮影装置用フットスイッチ１５によれば、互いに隣接するペダル２２、２３、２４を、平面視においてＸ方向およびＹ方向について重ならないように凸部２１の周囲にスペースＥを介して配置することにより、複数のペダル２２、２３、２４の目視を曖昧に行った場合においても、ペダル２２とペダル２４、あるいは、ペダル２３とペダル２４を同時に踏み込むことを防止し、正しいペダル２２、２３、２４を容易に踏み込むことが可能となる。これにより、Ｘ線撮影装置の操作ミスを防止することが可能となる。
【００２６】
なお、上述した実施形態においては、凸部２１の周囲に３個のペダル２２、２３、２４を配置しているが、凸部２１の周囲に、２個または４個のペダルを配置してもよい。また、凸部２１は、平面視において矩形以外の形状でもよい。
【符号の説明】
【００２７】
１      検診台
２      被検者
３      Ｘ線照射部
４      Ｘ線検出器
５      アーム
６      キャリッジ
８      画像表示部
１５    Ｘ線撮影装置用フットスイッチ
２１    凸部
２２    ペダル
２３    ペダル
２４    ペダル
２９    ベース部
Ｅ      スペース
Ｆ      足部
【図１】
2020022621.tif 000003
【図２】
2020022621.tif 000004
【図３】
2020022621.tif 000005
【図４】
2020022621.tif 000006
【図５】
2020022621.tif 000007
【図６】
2020022621.tif 000008